(57)【要約】【課題】無線通信を行わない場合は通信の確立を解除して消費電力を低減することができるとともに、通信の復旧時には無線通信をスムーズに実行することが可能な無線通信システムを提供する。【解決手段】無線を介して通信を行う受信側の機器における機能及び状態を保持しておく機能・状態保持手段と、無線通信が確立されていない状態で送信側の機器から受信側の機器に前記制御データーを無線通信する際、無線通信が確立される前に、前記受信側の機器における前記保持された機能及び状態に応じて前記制御データーに対する擬似的な返信信号を前記送信側の機器に返信する返信手段と、無線通信を確立する無線通信確立手段と、前記確立された無線通信を通じて前記制御データーを受信側の機器に送信するコマンド送信手段と、を有する。【選択図】図４
2012044463.tif 000002
【特許請求の範囲】
【請求項１】
機器間で通信される映像信号、音声信号、又はＨＤＭＩ規格に準じた制御データーを、無線通信するための無線通信システムであって、
無線を介して通信を行う受信側の機器における機能及び状態を保持しておく機能・状態保持手段と、
無線通信が確立されていない状態で送信側の機器から受信側の機器に前記制御データーを無線通信する際、無線通信が確立される前に、前記受信側の機器における前記保持された機能及び状態に応じて前記制御データーに対する擬似的な返信信号を前記送信側の機器に返信する返信手段と、
無線通信を確立する無線通信確立手段と、
前記確立された無線通信を通じて前記制御データーを受信側の機器に送信するコマンド送信手段と、を有することを特徴とする無線通信システム。
【請求項２】
前記受信側の機器における所定時における機能及び状態を通知して、前記保持された機能及び状態の更新を実行させる更新手段とを有することを特徴とする請求項１に記載の無線通信システム。
【請求項３】
前記コマンド送信手段は、
前記通信が確立された後の制御データーの送信により受信側の機器から返信された返信信号を受信し、
前記返信手段が返信した返信信号と受信側の機器から返信された返信信号を比較し、比較結果が異なる場合は、エラー通知を行うことを特徴とする請求項１又は請求項２のいずれかに記載の無線通信システム。
【請求項４】
前記機能とは、前記制御データーに対応する機能を意味し、
前記状態とは、前記受信側の機器が前記制御データーに応じた機能を実行可能な状態であるか否かを意味することを特徴とする請求項１から請求項３のいずれか一項に記載の無線通信システム。
【請求項５】
前記受信側の機器における所定時における機能及び状態を通知して、前記保持された機能及び状態の更新を実行させる更新手段とを有し、
前記コマンド送信手段は、
前記通信が確立された後の制御データーの送信により受信側の機器から返信された返信信号を受信し、
前記返信手段が返信した返信信号と受信側の機器から返信された返信信号を比較し、比較結果が異なる場合は、エラー通知を行うことを特徴とする請求項１に記載の無線通信システム。
【発明の詳細な説明】
【技術分野】
【０００１】
本発明は、無線通信システムに関し、特にＣＥＣ規格に準じた制御データーをＨＤＭＩにより無線通信する無線通信システムに関する。
【背景技術】
【０００２】
近年、ソース機器とリンク機器との間で、映像信号、音声信号、及び制御データーを無線通信可能なＡＶシステムが知られている（例えば、特許文献１−４参照。）。また、このような無線通信を実現するためのインタフェースとして、ＨＤＭＩ（High-Difinition Multimedia Interface）が知られている。このＨＤＭＩでは、機器間で制御データーを通信することができるため、例えば、一方の機器から送信される制御データーにより他方の機器の駆動を制御することが可能となる。
【０００３】
図５は、ソース機器とリンク機器との間で、ＨＤＭＩ規格に準じた無線通信を行う場合の従来の通信の流れを説明するための図である。ここで、無線通信を行う場合、ソース機器とリンク機器との間に、無線送信機と無線受信機とを介在させ、この無線送信機及び無線受信機により各種信号を無線信号に変換して通信を行う。また、例えば、ソース機器から無線送信機を介して制御データーが送信された場合、この制御データーを受信したリンク機器は無線受信機を介してレスポンスデーター（返信信号）を返信するよう規格されている。
【先行技術文献】
【特許文献】
【０００４】
【特許文献１】特表２００６−５０３４５５号公報
【特許文献２】特開２００４−３４３７２５号公報
【特許文献３】特開２００４−３３６７２９号公報
【特許文献４】特開２００１−０７７８２１号公報
【発明の概要】
【発明が解決しようとする課題】
【０００５】
上記した、従来の無線通信において、通信が行われない場合は消費電力の低減等を目的として無線通信の確立を解除することがある。無線通信の確立を解除した状態で、例えばソース機器が制御データーを発行した場合、無線送信機と無線受信機との間で通信を確立させた後、制御データーの通信を行う必要がある。ここで、無線通信の確立には時間が必要とされる場合があり、無線通信をスムーズに行えない場合もあった。
【０００６】
本発明は、上記課題にかんがみてなされたもので、無線通信を行わない場合は通信の確立を解除して消費電力を低減することができるとともに、通信の復旧時には無線通信をスムーズに実行することが可能な無線通信システムの提供を目的とする。
【課題を解決するための手段】
【０００７】
上記課題を解決するために、本発明では、機器間で通信される映像信号、音声信号、又はＨＤＭＩ規格に準じた制御データーを、無線通信するための送信機と受信機とを備える無線通信システムであって、無線を介して通信を行う受信側の機器における機能及び状態を保持しておく機能・状態保持手段と、無線通信が確立されていない状態で送信側の機器から受信側の機器に前記制御データーを無線通信する際、無線通信が確立される前に、前記受信側の機器における前記保持された機能及び状態に応じて前記制御データーに対する擬似的な返信信号を前記送信側の機器に返信する返信手段と、無線通信を確立する無線通信確立手段と、前記確立された無線通信を通じて前記制御データーを受信側の機器に送信するコマンド送信手段と、を有する構成としてある。
【０００８】
上記のように構成された発明では、機能・状態保持手段は、無線を介して通信を行う受信側の機器における機能及び状態を保持しておく。また、返信手段は、無線通信が確立されていない状態で送信側の機器から受信側の機器に制御データーを無線通信する際、無線通信が確立される前に、受信側の機器における保持された機能及び状態に応じて制御データーに対する擬似的な返信信号を送信側の機器に返信する。コマンド送信手段は、無線通信確立手段により確立された無線通信を通じて制御データーを受信側の機器に送信する。
【０００９】
そのため、無線通信が確立される前に送信側の機器が返信信号を受信することが可能となり、以後の処理をより効率的に実行することが可能となる。
なお、送信側とは、制御データーを発行する機器を意味し、同様に、受信側とは、発行された制御データーを受信して処理を実行する機器を意味する。そのため、ソース機器が送信側の機器になる場合のみならず、リンク機器が制御データーを発行する場合は、リンク機器が送信側の機器になる場合も含む概念である。
【００１０】
また、本発明では、機能・状態保持手段が保持する受信側の機器の機能及び状態により受信側の機器の状態等を判断するが、上記した機能及び状態は変動的なものであるため、変化に対応できることが好ましい。そのため、前記受信側の機器における所定時における機能及び状態を通知して、前記保持された機能及び状態の更新を実行させる更新手段とを有する構成としてもよい。
上記のように構成された発明では、本発明にかかる処理における実行精度をより高めることができる。
【００１１】
そして、前記コマンド送信手段は、前記通信が確立された後の制御データーの送信により受信側の機器から返信された返信信号を受信し、前記返信手段が返信した返信信号と受信側の機器から返信された返信信号を比較し、比較結果が異なる場合は、エラー通知を行う構成としてもよい。
上記のように構成された発明では、擬似的に発行した返信信号と、無線通信確立後に返信される返信信号とが異なる場合でも、エラー通知を行うことで処理を安定的に実現することができる。
【００１２】
また、前記機能とは、前記制御データーに対応する機能を意味し、前記状態とは、前記受信側の機器が前記制御データーに応じた機能を実行可能な状態であるか否かを意味する。
【００１３】
そして、本発明の好適な一例として、前記受信側の機器における所定時における機能及び状態を通知して、前記保持された機能及び状態の更新を実行させる更新手段とを有し、前記コマンド送信手段は、前記通信が確立された後の制御データーの送信により受信側の機器から返信された返信信号を受信し、前記返信手段が返信した返信信号と受信側の機器から返信された返信信号を比較し、比較結果が異なる場合は、エラー通知を行う構成としてもよい。
【発明の効果】
【００１４】
以上説明したように、本発明によれば、無線通信が確立される前に送信側の機器が返信信号を受信することが可能となり、以後の処理をより効率的に実行することが可能となる。
【図面の簡単な説明】
【００１５】
【図１】ＡＶシステム１００の構成を説明するためのブロック構成図である。
【図２】ＡＶシステム１００の構成を説明するためのブロック構成図である。
【図３】本実施形態にかかるＡＶシステム１００により実行される登録処理を説明するための図である。
【図４】本実施形態にかかるＡＶシステム１００により実行される無線通信処理を説明するための図である。
【図５】ソース機器とリンク機器との間で、ＨＤＭＩ規格に準じた無線通信を行う場合の従来の通信の流れを説明するための図である。
【発明を実施するための形態】
【００１６】
以下、下記の順序に従って本発明の実施形態を説明する。
１．第１の実施形態：
１．１．ＡＶシステム１００の構成：
１．２．更新・登録処理：
１．３．無線通信処理：
２．その他の実施形態：
【００１７】
１．第１の実施形態： 
１．１．ＡＶシステム１００の構成：
以下、図を参照して、この発明に係る無線通信システムを具体化した第１の実施の形態について説明する。図１は、ＡＶシステム１００の構成を説明するためのブロック構成図である。ＡＶシステム１００は、レコーダー９０（ソース機器）と、表示装置９４（リンク機器）と、レコーダー９０と表示装置９４の間で無線通信を行うための無線通信システム（無線送信機８０、無線受信機７０）と、を備えて構成されている。
【００１８】
上記構成のＡＶシステム１００では、レコーダー９０が再生するデーター（映像データー、音声データー）を表示装置９４に出力させることができる。このとき、レコーダー９０が再生するデーターは無線送信機８０により一旦無線信号に変換された後、無線受信機７０に受信される。そして、変換されたデーターは無線受信機７０によりデジタルデーターに再変換され、表示装置９４により映像及び音声として出力される。
また、無線送信機８０及び無線受信機７０が行う無線通信はＣＥＣ規格に対応しており、一方の装置から送信した制御データーを他方の装置に無線通信することで、他方の装置を制御することが可能である。
【００１９】
図２は、ＡＶシステム１００の構成を説明するためのブロック構成図である。以下、図２をもとに、ＡＶシステム１００を構成する各装置の具体的な構成を説明する。
レコーダー９０は、記録部９１と、コントローラー９２と、インタフェース９３と、を備えて構成されている。記録部９１は、ＨＤＤやＢＤ（ブルーレィディスク：登録商用）を備えて構成され、映像データーや音声データーを記録する。コントローラー９２は、記録部９１に記録された各種データーの再生や、制御データー（場合によっては、レスポンスデーター）を発行する。インタフェース９３は、レコーダー９０と無線送信機８０との間の通信を制御する。
【００２０】
制御データーは、ＣＥＣ（Consumer Electronics Control）規格に準じたコマンドであり、送信側から受信側に対する命令を規定したものである。例えば、表示装置９４から発行されたレコーダー９０に対する録画命令や、電源オン・オフの一括管理を示すコマンドである。また、レスポンスデーターは、上記したＣＥＣ規格に準じたコマンドであり、制御データーを受信した機器が送信側の機器に返信する際用いられる信号である。
【００２１】
表示装置９４は、フロントエンド部９５と、バックエンド部９６と、ディスプレイ９７と、コントローラー９８と、インタフェース９９と、を備えて構成されている。フロントエンド部９５は、図示しないアンテナが受信したテレビジョン放送を受信するためのチューナー部を備えて構成される。バックエンド部９６は、フロントエンド部９５から入力するテレビジョン放送に係るデーター、又はインタフェース９９から入力するデーターに対してディスプレイ９７の解像度に応じた画素数変換処理等を行なう。ディスプレイ９７は、バックエンド部９６から入力する映像データーをもとに映像を表示する。コントローラー９８は、表示装置９４の駆動を統合的に制御するとともに、入力コマンドに応じて制御データーやレスポンスデーターを発行する。インタフェース９９は、表示装置９４と無線受信機７０との間の通信を制御する。
【００２２】
無線送信機８０は、レコーダー９０に接続され、レコーダー９０から送信される映像データー、音声データー、及び制御データー（場合によってはレスポンスデーター）を無線信号に変換して出力する。無線送信機８０は、ＨＤＭＩレシーバー８１と、無線送受信モジュール８２と、ＲＦ回路８３と、アンテナ８４と、コントローラー８５と、を備えて構成されている。
【００２３】
ＨＤＭＩレシーバー８１は、レコーダー９０と無線送受信モジュール８２との間に介在して各種データーの受け渡しを行う。無線送受信モジュール８２は、デジタルデーターと無線波との間で可逆的な変換を行う。ＲＦ回路８３は、無線送受信モジュール８２によって変換された無線波を任意の高周波に変調し、アンテナ８４を通じて無線信号として送信する。また、アンテナ８４を通じて無線信号を受信した場合は、受信した無線信号を再変変調して無線送受信モジュール８２に出力する。
【００２４】
コントローラー８５は、ＣＰＵやこのＣＰＵが所定の演算を実行するためのプログラムデーターを記録したＲＯＭや、ＣＰＵのワークエリアとして作用するＲＡＭを備えて構成されている。また、ＣＰＵはＲＯＭに記録されたプログラムデーターを実行することにより、機能・状態保持モジュール（機能・状態保持手段）Ｍ１と、更新モジュールＭ２と、無線通信制御モジュールＭ３の機能を実現する。
【００２５】
機能・状態保持モジュールＭ１は、無線送信部８０を構成する各部を制御して、制御データーを受信する受信側の機器における機能及び状態を記録するための処理（以下、更新・登録処理と記載する。）を実行させる。即ち、機能・状態保持モジュールＭ１が無線送信機８０の一機能として実現される場合は、機能・状態保持モジュールＭ１は、無線受信機７０が接続された表示装置９４の機能、及び状態を記録させる。ここで、機能とは、制御データーに対応する機能を意味する。また、状態とは、制御データーを受信する機器が受信した制御データーにかかる処理を実行できる状態にあるか否かを意味し、現在視聴されるチャンネル番号や、他の機器からのデーターの入力の有無を含む概念である。
【００２６】
更新モジュールＭ２は、無線送信部８０を構成する各部を制御して、受信側の機器から送信される機能及び状態の変化の通知及び設定要求に応じて、機能・状態保持モジュールＭ１に対して、記録された機能又は状態を更新させる。上記構成により更新モジュールＭ２は本発明の更新手段を実現する。
【００２７】
無線通信制御モジュールＭ３は、ＣＥＣ規格に準じた無線通信を制御する。即ち、無線受信機７０との間での無線通信の確立や、確立された無線通信を用いて映像データー、音声データー、及び制御データーの通信を、無線送信部８０を構成する各部に実行させる。また、本実施形態では、無線通信制御モジュールＭ３は、無線受信機７０との間で無線通信が確立されていない場合に、制御データーの送信に応じて返信されるレスポンスデーターを擬似的に発行し、レコーダー９０に返信した後、無線受信機７０との無線通信を確立する。上記構成により、無線通信制御モジュールＭ３は本発明の無線通信確立手段、返信手段、及びコマンド送信手段を実現する。
【００２８】
無線受信機７０は、表示装置９４に接続され、無線送信機８０から送信される無線信号を映像データー、音声データー、及び制御データーに再変換し、表示装置９４に出力する。無線受信機７０は、ＨＤＭＩレシーバー７１と、無線送受信モジュール７２と、ＲＦ回路７３と、アンテナ７４と、コントローラー７５（また、その機能として、機能・状態保持モジュールＭ１１、更新モジュールＭ１２、無線通信制御モジュールＭ１３）と、を備えて構成されている。なお、上記したＨＤＭＩレシーバー７１と、無線送受信モジュール７２と、ＲＦ回路７３と、アンテナ７４と、コントローラー７５の構成及び機能は、無線送信機８０におけるＨＤＭＩレシーバー８１と、無線送受信モジュール８２と、ＲＦ回路８３と、アンテナ８４と、コントローラー８５と同様であるため、その説明は省略する。
【００２９】
１．２．更新・登録処理：
図３は、本実施形態にかかるＡＶシステム１００により実行される登録処理を説明するための図である。以下、図３を参照して、表示装置９４の機能及び状態を無線送信機８０に登録させる過程を説明する。
【００３０】
ステップＳ１では、図示しないリモコン装置等を操作して登録処理の実行が選択されると、表示装置９４は、無線受信機７０に対して機能登録を要求する。
【００３１】
ステップＳ２では、無線受信機７０の無線通信制御モジュールＭ１３が、無線送信機８０と無線受信機７０間の無線通信を確立させる。
【００３２】
ステップＳ３では、無線受信機７０の更新モジュールＭ１２が、表示装置９４が実行可能な制御データー一覧を確立された無線通信を通じて無線送信機８０に送信する。
【００３３】
ステップＳ４では、無線送信機８０の機能・状態保持モジュールＭ１が、受信した制御データーに基づいて、表示装置９４が実行可能な制御データー一覧を内部メモリに記録する。以後、無線送信機８０は、記録した制御データーをもとに表示装置９４の機能を判断する。
【００３４】
また、ステップＳ５では、無線送信機８０の無線通信制御モジュールＭ３は確立された無線通信を遮断する。
【００３５】
次に、表示装置９４の状態を無線送信機８０に通知して更新を促す過程を説明する。表示装置９４がレコーダー９０以外の外部機器から入力を受けている場合、ステップＳ６では、表示装置９４は、無線受信機７０に対して現在の状態（状態変化）を通知する。そのため、ステップＳ７では、無線受信機７０の無線通信制御モジュールＭ１３が、無線送信機８０と無線受信機７０間の無線通信を確立させる。
【００３６】
ステップＳ８では、無線受信機７０の更新モジュールＭ１２が、表示装置９４における現在の状態を無線通信を通じて無線送信機８０に送信する。
【００３７】
ステップＳ９では、無線送信機８０の機能・状態保持モジュールＭ１が、受信した表示装置９４の状態変化に基づいて、表示装置９４の現在の状態変化を内部メモリに記録する。
【００３８】
また、ステップＳ１０では、無線送信機８０の無線通信制御モジュールＭ３は確立された無線通信を遮断する。なお、この状態で、表示装置９４において図示しない外部機器からの入力が終了した場合、ステップＳ６〜Ｓ１０の処理を再度実行することで、無線送信機８０は、表示装置９４の新たな状態の変化（外部入力の終了）を記録する。
上記のように構成することで、送信側の機器の機能及び状態が変化した場合でも、この変化に対応することが可能となり、処理における実行精度をより高めることができる。以上、更新・登録処理を説明した。
【００３９】
１．３．無線通信処理：
図４は、本実施形態にかかるＡＶシステム１００により実行される無線通信処理を説明するための図である。以下、図４を参照して、レコーダー９０から表示装置９４に制御データーが送信される過程を例に本実施形態にかかる無線通信処理を説明する。
【００４０】
ステップＳ１１において、レコーダー９０が、表示装置９４に送信するための制御データーを発行すると、ステップＳ１２では、無線送信機８０の無線通信制御モジュールＭ３は、内部メモリに記録された、表示装置９４が対応可能な制御データー及び現在の表示装置９４の状態を参照する。
【００４１】
ステップＳ１３では、無線送信機８０の無線通信制御モジュールＭ３は、ステップＳ１２の参照結果に応じたレスポンスデーターをレコーダー９０に返信する。即ち、無線通信制御モジュールＭ３は、記録された制御データーの一覧に、発行された制御データーが存在し、且つ、記録された表示装置９４の状態が制御データーを受信可能な状態である場合は、レコーダー９０に制御データーに対して肯定的なレスポンスデーターを返信する。
【００４２】
ステップＳ１４では、無線通信制御モジュールＭ３は、無線送信機８０と無線受信機７０との間の無線通信を確立する。そして、ステップＳ１５において、無線通信制御モジュールＭ３は、確立された無線通信を通じて制御データーを無線受信機７０に送信する。
【００４３】
ステップＳ１６では、無線受信機７０の無線通信制御モジュールＭ１３は、受信した制御データーをデジタル信号に変換し、表示装置９４に送信させる。そのため、ステップＳ１７では、制御データーを受信した表示装置９４はこの制御データーに対応するレスポンスデーターを発行し、無線受信機７０に送信する。
【００４４】
ステップＳ１８では、無線受信機７０は、受信したレスポンスデーターを無線信号に変換して、無線送信機８０に送信する。そして、ステップＳ１９では、レスポンスデーターを受信した無線送信機８０の無線通信制御モジュールＭ３は、受信したレスポンスデーターとステップＳ１３で発光したレスポンスデーターとを比較する。
【００４５】
ステップＳ１３において発行したレスポンスデーターと表示装置９４から受信レスポンスデーターとが一致した場合（ステップＳ２０：ＹＥＳ）、発行された制御データーに係る処理を終了する。一方、ステップＳ１３において発行したレスポンスデーターと表示装置９４から受信レスポンスデーターとが異なる場合（ステップＳ２０：ＮＯ）、無線通信制御モジュールＭ３はエラーメッセージを発行し、無線受信機７０に送信する（ステップＳ２１）。そのため、このエラーメッセージを受信した表示装置９４では、このエラーメッセージを画面に表示するなどして、ユーザーに対して警告を促す。
上記のように構成することで、擬似的に発行したレスポンスデーターと、無線通信確立後に返信されるレスポンスデーターとが異なる場合でも、エラー通知を行うことで処理を安定的に実現することができる。以上、第１の実施形態を説明した。
【００４６】
以上、説明したように、本実施形態にかかるＡＶシステム１００では、無線を介して通信を行う受信側の機器における機能及び状態を保持しておき、無線通信が確立されていない状態で送信側の機器から受信側の機器に制御データーを無線通信する際、無線通信が確立される前に、受信側の機器における保持された機能及び状態に応じて制御データーに対する擬似的な返信信号を送信側の機器に返信し、確立された無線通信を通じて制御データーを受信側の機器に送信する。そのため、無線通信が確立される前に送信側の機器が返信信号を受信することが可能となり、以後の処理をより効率的に実行することが可能となる。また、無線通信を行わない場合は、無線を遮断しておくことができるため、消費電力を低減させることが可能となる。
【００４７】
２．その他の実施形態：
本発明は、様々な実施形態が存在する。ソース機器をレコーダーとし、リンク機器を表示装置とする構成は一例であり、ＨＤＭＩ規格に準じた無線通信を行う装置間であればどのような装置であってもよい。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
７０…無線受信機、７１…ＨＤＭＩレシーバー、７２…無線送受信モジュール、７３…ＲＦ回路、７４…アンテナ、７５…コントローラー、８０…無線送信機、８１…ＨＤＭＩレシーバー、８２…無線送受信モジュール、８３…ＲＦ回路、８４…アンテナ、８５…コントローラー、９０…レコーダー、９１…記録部、９２…コントローラー、９３…インタフェース、９４…表示装置、９５…フロントエンド部、９６…バックエンド部、９７…ディスプレイ、９８…コントローラー、９９…インタフェース、１００…ＡＶシステム、Ｍ１，Ｍ１１…機能・状態保持モジュール、Ｍ２，Ｍ１２…更新モジュール、Ｍ３，Ｍ１３…無線通信制御モジュール
【図１】
2012044463.tif 000003
【図２】
2012044463.tif 000004
【図３】
2012044463.tif 000005
【図４】
2012044463.tif 000006
【図５】
2012044463.tif 000007